(57)【要約】      （修正有）【課題】脱落防止、緩みを防止し、着用した状態で肌のケア効果を有するハンドマスクを提供する。【解決手段】手指に被せる手指部１０及び手のひら部１１からなるハンドマスク手袋１であって、手指部１０両側部に幅を狭めた凹頸部１２を形成すると共に、該ハンドマスク手袋内側に不織布等からなる内裏層１３を設けて、該不織布に美容効果のある薬剤等を含浸させる。上記凹頸部によって手指からの脱落を防止すると共に肌に接する内裏層の薬剤によって使用中の肌の保護、美容効果を発揮する。【選択図】図１
0003181290.tif 000002
【実用新案登録請求の範囲】
【請求項１】
手指と手のひらをそれぞれ被覆する手指部及び手のひら部を設け、
手指部の両側部に幅を狭めた凹頸部を設け、
ハンドマスク手袋の内側に布材からなる内裏層を設けたことを特徴とするハンドマスクの構造。
【請求項２】
前記凹頸部は手指の関節箇所に対応して設けたことを特徴とする請求項１記載のハンドマスクの構造。
【請求項３】
前記内裏層は、不織布とすることを特徴とする請求項１記載のハンドマスクの構造。
【請求項４】
前記内裏層には手部の肌をケア、改善及び治療する美容物質を塗布して含浸したことを特徴とする請求項１記載のハンドマスクの構造。
【考案の詳細な説明】
【技術分野】
【０００１】
本考案は、ハンドマスクの構造に関するもので、外れず、緩まず便利で安全で衛生的、且つ肌の美容にも効果があるハンドマスクの構造である。
【背景技術】
【０００２】
作業の時、手垢が直接製品に付いたり、物品の汚れが皮膚に付いたりするのを防止するため、通常はハンドマスクを着用して皮膚及び物品の清潔を保つ。美容方面として、ハンドマスクを着用して作業をすることによってその間に肌が美容物質を吸収する。
【先行技術文献】
【特許文献】
【０００３】
【特許文献１】特表２０１１−５０４９７１号公報
【考案の概要】
【考案が解決しようとする課題】
【０００４】
解決しようとする問題点は、公知のハンドマスクは、フィットせず滑りやすく、緩みやすいという欠点があり、細かい操作を行う時に使用するのは不適当であった点である。
【課題を解決するための手段】
【０００５】
本考案のハンドマスク手袋は、手指を被覆する手指部及び手のひらを被覆する手のひら部からなり、手袋の内側に内裏層を有すると共に、該手指部には幅を狭窄した凹頸部を設ける。
該凹頸部は手指部の辺縁両側に設けられ、且つ手指の関節箇所に対応して該凹頸部の狭窄した構造によって摘むことによって、ハンドマスク手袋の手指部が使用者の手指関節に密着して支持され、手指と手のひらに被せたハンドマスク手袋が落ちにくくなる。該内裏層はハンドマスク手袋の内側に設けられる。
本考案のハンドマスク手袋は、手指の殺菌消毒を必要とする一般手術、整形外科の医療機材として広く応用でき、更に、手袋を被せ他状態での作業がしやすくなる。該内裏層には美容効果のある物質を塗布して含浸させることによって、使用者は手部の肌の荒れから保護するなど、保養すると同時にその他手指を使う作業を行うことができる。
【考案の効果】
【０００６】
本考案のハンドマスクの構造は、脱落防止、緩み防止効果を備え、使用が便利で、安全で衛生的、且つ同時に肌のケアに効果を備えるという利点がある。
【図面の簡単な説明】
【０００７】
【図１】本考案の第一実施例の立体透視図である。
【図２】本考案の第一実施例の実施指示図である。
【図３】本考案の第二実施例の手指部断面指示図である。
【考案を実施するための形態】
【０００８】
脱落防止、緩み防止効果を備え、使用の便利さ、安全・衛生、肌の美容等に効果を備えるハンドマスクの構造を提供することを本考案の主な目的とする。
【０００９】
上述の課題を達成するため、本考案のハンドマスク手袋の構造は、手指部、手のひら部からなり、手指部の各指両側から狭窄した凹頸部及びこれら手袋の内輪に設けられた内裏層を具える。該ハンドマスク手袋は、手指と手のひらに被せる手指部及び手のひら部を設け、該凹頸部は手指部の各指の辺縁両側に形成し、且つこれら凹頸部は手指の関節箇所に対応する。該内裏層はハンドマスク手袋の内側に設けられ、該内裏層としては不織布材を使用するのがよい。
【００１０】
上述構造により、本考案は主に該凹頸部によって手指と手のひらに被せるハンドマスク手袋が滑り落ちることがない。その他、該ハンドマスクは殺菌消毒して医療機材として広く応用でき、医療従事者がハンドマスクを使用する時でも緩むことがない。
【００１１】
また、該ハンドマスクの内裏層は、美容効果のある物質を塗布、染みこませ、手部の肌をケア、改善し、治療する。本考案のハンドマスクは脱落防止、緩み防止を備え、使用に便利で、安全で衛生的、肌の保養効果を備える。
【実施例１】
【００１２】
本考案の目的、効果、特徴及び構造を説明するために実施例１及び２を挙げて図式とともに説明する。
【００１３】
先ず、図１に示すのは、本考案のハンドマスクの第一実施例である。ハンドマスク手袋１は、手指と手のひらをそれぞれ被覆する手指部１０及び手のひら部１１からなる。
【００１４】
該凹頸部１２は、手指部１０の各指の辺縁両側に設置し、且つ手指の指関節位置に対応する。
【００１５】
内裏層１３は、ハンドマスク手袋１の内側に設けられ、該内裏層１３は不織布で製造するのが良い。
【００１６】
図２に示すとおり、本考案の第一実施例は、該ハンドマスク手袋１の手指部１０及び手のひら部１１を使用者の手指と手のひらに合わせて該ハンドマスク手袋１を被せる。次に該凹頸部１２を摘んでハンドマスク手袋１の手指部１０を使用者の手指節に密着させ、手指と手のひらのハンドマスク手袋１の脱落の心配がなくなる。
【００１７】
凹頸部１２が手指を締めることの長所として、本考案のハンドマスクは殺菌、消毒して一般手術、整形外科の医療機材として用い、医療従事者がハンドマスクを使用する時、緩むことなく、医療作業を完遂することができ、安全で衛生的、且つ作業が便利である。
【実施例２】
【００１８】
最後に図３を図１と共に提示するが、本考案の第二実施例は、ほぼ第一実施例と同じであり、異なる点として、該ハンドマスク手袋１の内裏層１３には美容効果のある物質２を塗布して含浸させる。使用者の手をハンドマスク手袋１内に入れると、内裏層１３に含浸させた美容効果のある物質２が肌のケアや改善及び肌の治療効果を達成する。同時に該手指部１０の凹頸部１２を摘み合わせることで、使用者の手のケア、治療が行え、その際に手指による作業を実施でき、ハンドマスク使用に格別の制約を受けない。
【００１９】
上述に示すとおり、本考案は以下の長所を備える。
該凹頸部を摘み合わせ、ハンドマスク手袋の手指部を使用者の手指関節に密着させることにより、手指と手のひらに被せたハンドマスク手袋は外れ落ちたりしない。
【００２０】
該ハンドマスクは、殺菌、消毒して一般手術、整形外科の医療器材として広く応用でき、医療従事者がハンドマスクを使用することで、外れることがなく、医療作業をスムーズに完遂することができ、安全で衛生的、作業に便利である。
【００２１】
内裏層に含浸させた美容効果のある物質は肌のケア効果を達成し、改善及び治療手部の肌を改善及び治療し、使用者は保養手部の肌をケアすると同時にその間に手指を使う作業を実行する。
【符号の説明】
【００２２】
１         ハンドマスク手袋
１０       手指部
１１       手のひら部
１２       凹頸部
１３      
内裏層
２        
美容物質
【図１】
0003181290.tif 000003
【図２】
0003181290.tif 000004
【図３】
0003181290.tif 000005